(57)【特許請求の範囲】
【請求項１】
扉面の室内側に室外側のシリンダ錠と同軸に装着され、室外側のシリンダ錠とは別体のシリンダー錠を内蔵したサムターン筒と、このサムターン筒内のシリンダ錠の施解錠に使用され、シリンダ錠に挿入されたとき、その先端がサムターン操作軸と一体のクラッチ機構に連結され、これらクラッチ機構及びサムターン操作軸を介して間接的に錠箱内のだるまカムに連結されると共に、その摘み部がサムターンの操作摘みとなる合鍵と、サムターン筒の室内側の端部においてシリンダー錠の中心軸と直角方向に移動可能に案内された、合鍵の抜け止めとなる板状のキーストッパーとを有し、合鍵のステム部の基部側端縁に形成されたスロットと、キーストッパーに形成された円弧開口とを係合させることにより、合鍵の全作動角度範囲にわたって抜け止めを施し、一方、キーストッパーをその円弧開口が合鍵のスロットと係合する方向に付勢すると共に、キーストッパーの円弧開口が合鍵のスロットと離間する方向に移動させることにより、合鍵を抜くことができるようにしたことを特徴とする防犯型サムターン。
【発明の詳細な説明】
【０００１】
【発明の属する技術分野】
この発明は、防犯型のサムターンに係り、特に、必要に応じて操作できないように切換えることができるサムターンに関する。
【０００２】
【従来の技術】
従来のサムターン付きシリンダー錠の構造は、扉の室外側にシリンダー錠が装着され、室外側に露出された鍵孔に合鍵を挿入して回動操作することによりデッドボルトが扉の自由端縁より出没して、ボルト受けと係脱し施解錠される。
【０００３】
又、室内側からの施解錠操作に当っては、合鍵等の使用は不要であり、単にサムターンの摘みを操作するだけで済み、操作が非常に簡便であるという利点から一般に広く使用されている。
【０００４】
【発明が解決しようとする課題】
しかしながら、生活環境の向上による一戸建て家屋やマンションの高級化に伴い、玄関扉の構造にも優美性が追求された結果、最近の玄関扉では扉の全面或いは一部にガラス板をはめ込んだ構造のものが出現している。
【０００５】
ガラス板がはめ込まれた構造の扉では、外部の侵入者がこのガラス板を破壊して手先が入る程度の開口を作り、この開口を通して手先を室内側に挿入し、扉の室内側に突出されたサムターンを操作して扉を不正解錠させ得る、という不都合がある。
【０００６】
そこで、この発明による防犯型サムターンは、上述したようにガラス板が破壊されて外部から手先が室内側に挿入された場合にも不正解錠ができないように開発されたものである。
【０００７】
【課題を解決するための手段】
上記の目的を達成するため、この発明は、扉面の室内側に室外側のシリンダ錠と同軸に装着され、室外側のシリンダ錠とは別体のシリンダー錠を内蔵したサムターン筒と、このサムターン筒内のシリンダ錠の施解錠に使用され、シリンダ錠に挿入されたとき、その先端がサムターン操作軸と一体のクラッチ機構に連結され、これらクラッチ機構及びサムターン操作軸を介して間接的に錠箱内のだるまカムに連結されると共に、その摘み部がサムターンの操作摘みとなる合鍵と、サムターン筒の室内側の端部においてシリンダー錠の中心軸と直角方向に移動可能に案内された、合鍵の抜け止めとなる板状のキーストッパーとを有し、合鍵のステム部の基部側端縁に形成されたスロットと、キーストッパーに形成された円弧開口とを係合させることにより、合鍵の全作動角度範囲にわたって抜け止めを施し、一方、キーストッパーをその円弧開口が合鍵のスロットと係合する方向に付勢すると共に、キーストッパーの円弧開口が合鍵のスロットと離間する方向に移動させることにより、合鍵を抜くことができるようにしたことを特徴とする。
【０００８】
【発明の実施の形態】
以下、図面に示す実施例に基いて、この発明について説明する。図１において符号９１は玄関扉等の室内側の扉面を示し、この扉９１に形成された付番しない凹陥部にはサムターン筒１が装着されている。
【０００９】
サムターン筒１の固定は、例えばサムターン筒１の室内側端面周辺部に形成されたボルト孔に通しボルト９２、９２（図３、４参照）を挿通し、ボルト先端のねじ部を扉の室外側に装着されたシリンダー錠（扉外部から施解錠するための鍵）の内端面に捩じ込むことにより行われる。
【００１０】
このサムターン筒１の内部にはサムターン内筒２を介してシリンダー錠３が装着固定されている。
【００１１】
一方、サムターン筒１の室内側端面（向かって左側）にはキーストッパー４の板厚寸法に相当する深さで、全体の形状が略小判形（図３参照）の案内溝１１が形成され、この案内溝１１の図３における左右端には深く切込まれた深溝１２、１２が形成されている（図３、４参照）。
【００１２】
案内溝１１には、図５に示すキーストッパー４のウェブ４１が係合され、左右の深溝１２にはフランジ４２が嵌挿されて、これらの係合によりキーストッパー４は上下方向に移動可能に案内されている。
【００１３】
また、サムターン筒１の室内側端面の図１における下方には上下方向に延在する角形溝１３（図３参照）が形成され、この角形溝１３にはストッパーばね７が弾装されている。
【００１４】
ストッパーばね７は圧縮コイルばねで、その下端はキーストッパー４の下方において室外側に切り起こされて形成されたばね座４６に弾接し、ストッパー４を下方に向けて付勢している。
【００１５】
そして常態では、キーストッパーのフランジ４２（図５参照）の下端のショルダー４２ａが深溝１２の下端縁１２ａ（図４参照）と当接して、キーストッパー４の移動ストロークの下限位置が設定される。
【００１６】
一方、キーストッパーのウェブ４１の中央部には、円弧状の開口端縁４３ａ、４３ｂ、細長い水平のスリットの両端をなすスリット開口端縁４４、４４及び開口端縁４３ｂに連なる縦長の垂直開口端縁４５を連接してなる開口が形成されている。
【００１７】
これら開口端縁４３ａ、４３ｂ、４４及び４５に包囲される開口を夫々円弧開口、スリット開口及び垂直開口と称することにすると、円弧開口４３ａ、４３ｂ及びスリット開口４４は後述するように合鍵の着脱を制御するのに使用され、垂直開口４５は上述したストッパーばね７を装着するための逃げとして使用される。
【００１８】
他方、キーストッパー４の下方に形成された縦長の延伸部の下端は室外側（図５において右側）に折り曲げられてタング４７が形成され、このタングに指先を当てて上方に押すことによりストッパーばね７の弾力に抗してキーストッパーを上方に移動させることができるようになっている。
【００１９】
このとき、キーストッパー４のウェブ上縁４１ａがサムターン筒１の前面上方に形成されたショルダー１４（図１及び図３参照）に当接して、キーストッパー４の移動ストロークの上限位置が設定される。
【００２０】
サムターン筒１の室内側の端面を覆うように、キーストッパー４の脱落を防止するための円板状の押え板５（図１参照）が装着されている。
【００２１】
この押え板５のサムターン筒１への装着は、例えば、押え板５の周辺部に開口したねじ穴（図示せず）を通して小ねじを挿入し、小ねじの先端をサムターン筒の前端面に形成されたねじ孔１５（図３参照）にねじ込むることにより行われる。
【００２２】
一方、図１に示すように、扉面９１とサムターン筒１の外周部ショルダー１６との間にはサムターン底板６２が取付けられている。
【００２３】
このサムターン底板６２は、中空円筒状の胴部、この胴部の一端（図１で右端）に接続された蛇の目状のフランジ部を有し、胴部の外周には外方に向けて突出する複数個の突起６２ａが形成されている。
【００２４】
更に、押え板５の室内側（図１で左側）には化粧カバーとしてのサムターン座６１が取付けられている。
【００２５】
このサムターン座６１も中空円筒状の胴部と胴部の一端に接続された蛇の目状のフランジ部とから成り、胴部内周面には例えば凹陥部が形成されいる。
【００２６】
そして、サムターン座６１を開口を相互に対向させた状態でサムターン底板６２に嵌合させると、上記サムターン座６１の凹陥部がサムターン座板６１の突起６２ａと係合し、この係合によりサムターン座６１はサムターン座板６２に固定される。
【００２７】
シリンダー錠３の施解錠に使用され、その摘み部がサムターンの操作摘みとなる合鍵８は図６に示すように構成されている。
【００２８】
すなわち、この合鍵８は、摘み８１とステム部８２とから構成され、ステム部８２にはシリンダー錠３のタンブラーと係合する鍵溝（図示せず）が形成されている。
【００２９】
また、ステム部８２の基部側端縁には一定の間隔を保って突起８３及び８４が形成され、これらの突起８３と８４との間にはスロット８５が形成されている。
【００３０】
この構成を別の観点から見ると、これらはスロットを形成した従来の鍵のショルダー部に相当する。
【００３１】
上記のように構成された防犯型サムターンにおいて、合鍵８をシリンダー錠３に挿入し、この合鍵をサムターンの操作部材として使用するときの操作について説明する。
【００３２】
サムターン座６１のフランジ中央の開口６１ａ（図２参照）は合鍵８の突起８３、８４が通過できるだけの直径を有しており、又、押え板５（図１参照）の開口５ａも同等の直径を有している。
【００３３】
一方、キーストッパー４は、ストッパーばね７の弾力により常時、移動ストロークの下限にまで下降しており、図２に示すように円弧開口４３ａがサムターン座６１の開口６１ａから覗ける位置にある。
【００３４】
従って、このままの状態では鎖線で図示されるように、合鍵が垂直姿勢でも水平姿勢でも、突起８３が円弧開口４３ａの周辺のウェブと干渉して、合鍵をシリンダー錠３に充分挿入することができない関係にある。
【００３５】
そこで、キーストッパー４のタング４７を指先で押し上げると、キーストッパー４は上昇して円弧開口４３ａが上昇してサムターン座の開口６１ａの外側に逃げ、同時にスリット開口４４が開口６１ａの中心に合致するので、上述した突起８３とキーストッパー４とが干渉しなくなり、合鍵８の鍵孔への挿入が可能になる。
【００３６】
この状態においては、合鍵８のステム部８２を、そのときのシリンダー錠の施解錠の状態に応じて、垂直姿勢であっても、また水平姿勢であってもシリンダー錠３に充分挿入することが可能となる。
【００３７】
ここで、タング４７を押し上げた指先を外せば、ストッパー４は再びストッパーばね７の弾力により下降し、円弧開口４３ａの端縁が合鍵のスロット８５に係合する。
【００３８】
この結果、図１に鎖線で示すように合鍵のステム部８２はサムターン筒１の内部に安定して保持され、同時にシリンダ錠が解錠される。
【００３９】
このとき、ステム部８２の基部側端縁の鍵先側の突起８３がシリンダ錠の内筒端面に当接して従来の鍵のショルダー部となる。
【００４０】
すると合鍵８はシリンダ錠３の内筒と一体に回動可能になるので、扉面９１に装着されたサムターンとしての機能を果たすことができる。
【００４１】
すなわち、合鍵のステム部８２の先端部がクラッチ機構９３と係合し、このクラッチ機構に連結されたサムターン操作軸９４及びだるまカム９５を介してデッドボルトの出没が行われる。
【００４２】
合鍵８をサムターン筒１から抜く場合には、挿入する場合と同様にタング４７を押し上げながら引き抜けばよい。
【００４３】
上述したように、合鍵８をサムターン筒１に保持させたままの状態では、摘み８１は従来から使用されている構造のサムターンの摘みとしての機能を有しており、その操作方法は従来のサムターンと何ら変わったところがなく、室内側からの施解錠を従来のサムターンと同様に行うことができる。
【００４４】
一方、居住人の外出時においては、合鍵８をサムターン筒１から抜いておけば、万一、扉にはめ込まれたガラスが破壊されて手先が室内側に挿入されても、侵入者が合鍵８を保有していない限り不正解錠は不可能である。
【００４５】
【発明の効果】
以上の説明から明らかなように、この発明は、扉の室内側に装着されたシリンダー錠を施解錠するための合鍵を常態において安定して取付けたままにしておくことができるので、従来の構造のサムターンと同様に操作できるとともに、キーストッパーを操作することにより容易に合鍵を抜いておくことができるので、侵入者が室内側に手先をさし込んでも解錠できないという優れた防犯効果を奏する。
【図面の簡単な説明】
【図１】この発明の防犯型サムターンの縦断面図。
【図２】この発明の防犯型サムターンの正面図。
【図３】サムターン座及び押え板を取外して示す防犯型サムターンの正面図で、キーストッパーが下降している状態を示す。
【図４】サムターン座及び押え板を取外して示す防犯型サムターンの正面図で、キーストッパーがストッパーばねの弾力に抗して押上げられている状態を示す。
【図５】キーストッパーの外観斜視図。
【図６】合鍵の正面図。
【符号の説明】
１  サムターン筒
２  サムターン内筒
３  シリンダー錠
４  キーストッパー
５  ウェブ
４３ａ  円弧開口
４４  スリット開口
４７  タング
５    押え板
６１  サムターン座
７    ストッパーばね
８    合鍵
８１  摘み
８２    ステム部
８３    突起
８３ａ  ショルダー
８４  突起
８４ａ  ショルダー
９１  扉面
【図１】
0003602957.tif 000002
【図２】
0003602957.tif 000003
【図３】
0003602957.tif 000004
【図４】
0003602957.tif 000005
【図５】
0003602957.tif 000006
【図６】
0003602957.tif 000007